(57)【要約】【課題】眼鏡の保管位置の視認とポケット等からの脱落防止の機能を有する、眼鏡用の磁着体を提供する。【解決手段】永久磁石収納部分を有する本体を設けるとともに、該収納部分に永久磁石を収納し、該本体と一体に形成される舌片部を設けるとともに、該舌片部と本体間に略平行な空隙を設けたことを特徴とする。【選択図】図４
2011095690.tif 000002
【特許請求の範囲】
【請求項１】
永久磁石収納部分を有する本体を設けるとともに、該収納部分に永久磁石を収納し、該本体と一体に形成される舌片部を設けるとともに、該舌片部と本体間に略平行な空隙を設けたことを特徴とする眼鏡用磁着体。
【発明の詳細な説明】
【技術分野】
【０００１】  この発明は、眼鏡のつるに取り付けて用いる、眼鏡用の磁着体に関する。
【背景技術】
【０００２】  従来より、眼鏡は単一物品として使用され、この眼鏡のつる部分に取り付けて用いる磁着体は現在のところ見あたらない。
【発明の開示】
【発明が解決しようとする課題】
【０００３】  眼鏡は視力を補うものとして多用されている。
眼鏡は、枠内にレンズを嵌め込み、この枠に折り畳み可能につるを設けて形成され、通常は耳につる部分を掛けて使用し、不使用時はつるを折り畳んで、眼鏡ケースに入れたり、ポケットに入れたりして保管している。眼鏡は常時使用の場合もあれば、時々使用の場合もある。眼鏡はその所在が不明確になることがあり、使用するときに探し回ることがある。
また、例えばポケットに入れたとき、身体を前屈みにするとポケットから落下することもしばしば起こる。これらの問題を解決する有効な手段が現状では見あたらず、より好ましい解決案が望まれている。
本発明は、以上のような眼鏡に関する従来からの課題を解決するべく発明されたもので、眼鏡の所在がわかりやすく、かつポケット等からの落下を防止する新規かつ有用なる手段を提供するものである。
【課題を解決するための手段】
【０００４】  課題を解決する手段として本発明は以下の構成とした。
すなわち、永久磁石収納部分を有する本体を設けるとともに、該収納部分に永久磁石を収納し、該本体と一体に形成される舌片部を設けるとともに、該舌片部と本体間に略平行な空隙を設ける。本発明は以上の構成よりなる眼鏡用磁着体である。
【発明の効果】
【０００５】  本発明は以下の効果を有する。
１．眼鏡のつるに取り付ける小型物品のため、違和感なく眼鏡を使用することができる。
２．眼鏡の各つるに装着することにて、つる折り畳み時は各磁着体が相互磁着状態となり、この磁着体間にポケットなどの衣服の一部を介在させることにより、ポケット等からの眼鏡の脱落を防止することができる。
３．眼鏡のつるを折り畳んだ状態にて、磁着体を任意の金属物体に磁着させて保管することができるので、一定の磁着場所とすることにて、眼鏡の所在確認が容易となる。
【発明を実施するための最良の形態】
【０００６】  以下、本発明の実施形態について説明する。
図において、１は本体で、適度の柔軟性と弾力性を有する合成樹脂にて有底円筒状に形成された物体で、その底部にはＬ形の舌片部２が一体に設けられる。この舌片部は本体底部より垂直に立ち上がった後に直角に折曲された形状であり、本体底部面と略平行の平面部分を有し、すなわち所定幅の間隙を有して舌片部先端部分には曲面状部分が形成される。
また、本体底面適所には一対の雌ねじ３が刻設される。
舌片部における上記雌ねじに対応する位置には、皿小ネジの頭部が納まるように座ぐり孔４が穿設される。５は円柱形の永久磁石で、本体内に収納固着される。６は合成樹脂製の円形カバー板で、永久磁石を覆うように本体端面に固着される。
以上が本発明実施の一例である。
本発明使用時は、図２に示すように、眼鏡のつる適所に本体と舌片部により生ずる間隙を押し込み、皿小ネジを座ぐり孔より挿入して雌ねじに螺着する。舌片部材質は本体と同じく適度の柔軟性と弾力性を有するので、この螺着にて眼鏡のつるは本体底部と舌片部間に押圧挟持される。以上の作業を各つるに対して行い、本発明は図６のように眼鏡のつるに各々取り付けられる。
眼鏡使用時は、通常の眼鏡同様に使用し、不使用時や保管時は図９のように、眼鏡のつるを折り畳んで各磁着体を磁着させる。このとき、この磁着体間にポケットの衣類部分を位置させることにて、眼鏡のつる間に衣類は磁力にて押圧挟持される。
従って、身体を前屈みにしたときでも、ポケットから眼鏡が落下することを防止できる。
また、このつるの折り畳み時において、磁着体はつるの外面に位置するので、冷蔵庫その他の金属部分に磁着させることができて、眼鏡位置の視認を容易に行うことができる。【０００７】  図５は本発明の他例を示すもので、本体底部と舌片部間の間隙をつる厚さよりやや小として、つるを挿入した場合にこの間隙を押し広げることにより、舌片部材質の特性にてつるは押圧挟持されるものである。なお、舌片部下端より中程に向かうにつれて次第に幅狭となる斜面部９を設けているので、つるをスムースに挿入することができる。
図１１〜図１３は本発明の別例である。
図１１と図１２に示す例は、舌片部サイズを本体外径と同一とし、座ぐり孔と雌ねじを、本体外径と磁石外径との間に設けたもので、本体底部厚さを小とすることができ、磁石相互の磁着時における相互距離をより接近させて、磁着力を強める効果を有する。
図１３は図５における押圧挟持方式を変化させたもので、本体底部を薄くすることにて、上述と同様の効果を得るよう構成したものであり、その他の部分は図５の例と同一である。
以上、本発明について記したが、本発明は磁力にて双方のつるを引き合わせて、双方の磁着体間に衣類等を押圧挟持するところにその特徴を有するものである。
従来はこのような手段がなく、身体を前屈みにするとポケットから眼鏡が落下する恐れがあったが、本発明にてこれが解消されるものとなったのである。また、任意の金属部分に磁着させて眼鏡保管ができるので、その所在を明確にできる利点がある。
なお、双方の磁着体の磁着のために、永久磁石の極性の選択、つまり、カバー板側をＮ極とし舌片側をＳ極とするなどして統一することが必要である。眼鏡のつるは金属部分とこの金属部分に連続する湾曲部分としての合成樹脂等部分から成り立つが、双方のつるを重ねたときに接近するのは、金属部分と合成樹脂等部分の境目個所であり、この個所に磁着体を取り付けるのがよい。
本発明を装着した眼鏡の使用形態は任意であり、ワイシャツやスーツの胸ポケット、ブラウスの打ち合わせ部分、Ｔシャツの襟ぐり部分など自由に選択できる。また、金属部品への磁着としては、冷蔵庫、ホワイトボードその他に利用できる。
以上のごとく、本発明によって眼鏡の所在確認、ポケットからの落下防止など種々の利点を有する有用なる物品を得ることができる。
【図面の簡単な説明】
【０００８】
【図１】本発明の正面図
【図２】本発明の正面図（装着時）
【図３】本発明の右側面図
【図４】本発明の内部構造説明図
【図５】本発明の他例の右側面図
【図６】本発明の装着状態図（眼鏡平面視）
【図７】本発明の装着状態図（眼鏡正面視）
【図８】本発明の装着状態図（眼鏡右側面視）
【図９】本発明の相互磁着状態説明図
【図１０】本発明の使用状態図
【図１１】本発明別例の正面図
【図１２】本発明別例の内部構造説明図
【図１３】本発明別例の右側面図
【符号の説明】
【０００９】１  本体
２  舌片部
３  雌ねじ
４  座ぐり孔
５  永久磁石
６  カバー板
７  つる
１０  本体
１１  舌片部
１２  カバー板
【図１】
2011095690.tif 000003
【図２】
2011095690.tif 000004
【図３】
2011095690.tif 000005
【図４】
2011095690.tif 000006
【図５】
2011095690.tif 000007
【図６】
2011095690.tif 000008
【図７】
2011095690.tif 000009
【図８】
2011095690.tif 000010
【図９】
2011095690.tif 000011
【図１０】
2011095690.tif 000012
【図１１】
2011095690.tif 000013
【図１２】
2011095690.tif 000014
【図１３】
2011095690.tif 000015